(57)【要約】【課題】ペットがマーキング行為等をする場所にペットが忌避する被覆材を施し、ペットにマーキング行為等をさせないようにする。【解決手段】内装仕上げ材を覆うように設けられた被覆材２を備えており、該被覆材２の表面は光沢を有する材質で形成されていることを特徴とするため、ペットは被覆材２を踏んだり、噛んだり、さらに被覆材２で爪を研ごうとするとその感触に嫌悪感を抱き、以後、被覆材２で被覆された柱４の出隅部７やその周辺の床３を忌避するようになる。従って、これらの部位において、マーキング行為や噛みつき行為、さらには爪研ぎ行為等は抑止され、内装仕上げ材を破損させることはない。【選択図】図１
2007228821.tif 000002
【特許請求の範囲】
【請求項１】
内装仕上げ材を覆うように設けられた被覆材を備えており、該被覆材の表面は光沢を有する材質で形成されていることを特徴とするペットの内装仕上げ材破損防止具。
【請求項２】
前記被覆材は、アルミ箔から成り、該アルミ箔は、床と該床に立設される起立材との入隅部に沿って折曲可能な折り目を備えており、該折り目に沿って内側に折曲することにより、前記床を被覆可能な床被覆部と、前記起立材を被覆可能な起立材被覆部とが形成されるようになっている請求項１に記載のペットの内装仕上げ材破損防止具。
【請求項３】
前記被覆材は、前記起立材の出隅部に沿って折曲可能な第２の折り目と、該第２の折り目の延長線上に沿って切り込み可能な切れ目とを備えており、前記第２の折り目に沿って外側に折曲すると共に、前記切れ目に沿って切り込むことにより、前記床被覆部と起立材被覆部とがそれぞれ２組ずつ形成されるようになっている請求項２に記載のペットの内装仕上げ材破損防止具。
【発明の詳細な説明】
【技術分野】
【０００１】
本発明は、ペットが内装仕上げ材を破損させることを防止するためのペットの内装仕上げ材破損防止具に関する。
【背景技術】
【０００２】
近年、室内で犬や猫等のペットを飼育する家庭が増えているが、特に雄犬の習性である柱、壁、或いはそれらの出隅部や入隅部に対して足を上げて排尿するマーキング行為や、雄雌犬に共通する幼少期の噛みつき行為は、柱、壁等の内装仕上げ材を破損させる要因となる。破損させる対象物がぬいぐるみ等の玩具類やスリッパ等の履物類であれば大きな問題にはならないが、内装仕上げ材となると、その補修費も高価であり、このようなペットによる内装仕上げ材の破損行為の抑止は必須課題となっている。
【０００３】
従来、このようなペットの内装仕上げ材の破損行為を防止するためのペットの内装仕上げ材破損防止具としては、柱の周辺を覆う布類や、ぬいぐるみ等が知られている（出願人は、公知公用の技術に基づき発明したために先行技術文献を知らない）。
【発明の開示】
【発明が解決しようとする課題】
【０００４】
しかしながら、上記した従来のペットの内装仕上げ材破損防止具は、内装仕上げ材の破損を最小限に抑えようとするもので、マーキング行為等のペットの習性を抑止し、内装仕上げ材の破損防止を目的としているものではない。従って、飼主は、従来のペットの内装仕上げ材破損防止具を設けても、繰り返しペットに対してマーキング行為等をさせないように躾をしなければならないといった問題があった。また、マーキング行為によって汚染された布類を取替えたり洗浄したりしなければならず、その作業に手間が掛かるといった問題があった。
【０００５】
本発明は、上記した問題を解決すべくなされたものであり、ペットがマーキング行為等をする場所にペットが忌避する被覆材を施し、ペットにマーキング行為等をさせないようにすることのできるペットの内装仕上げ材破損防止具を提供することを目的とするものである。
【課題を解決するための手段】
【０００６】
本発明は、内装仕上げ材を覆うように設けられた被覆材を備えており、該被覆材の表面は光沢を有する材質で形成されていることを特徴とする。
【０００７】
また、前記被覆材は、アルミ箔から成り、該アルミ箔は、床と該床に立設される起立材との入隅部に沿って折曲可能な折り目を備えており、該折り目に沿って内側に折曲することにより、前記床を被覆可能な床被覆部と、前記起立材を被覆可能な起立材被覆部とが形成されるようになっていてもよい。
【０００８】
さらに、前記被覆材は、前記起立材の出隅部に沿って折曲可能な第２の折り目と、該第２の折り目の延長線上に沿って切り込み可能な切れ目とを備えており、前記第２の折り目に沿って外側に折曲すると共に、前記切れ目に沿って切り込むことにより、前記床被覆部と起立材被覆部とがそれぞれ２組ずつ形成されるようになっていてもよい。
【発明の効果】
【０００９】
本発明によれば、ペットが忌避する光沢を有する材質で形成された被覆材が、内装仕上げ材を覆っているため、ペットは、これらの場所には近寄らず、内装仕上げ材に対してマーキング行為等を行わないという効果を得ることができる。また、ペットが噛み付き行為を試行した場合には、噛み付いたときの痛みや、違和感によって被覆材を忌避するため、これらの噛み付き行為の抑止を図ることもできる。さらに、ペットはマーキング行為等ができないことを容易に認識できるため、飼主は躾に掛ける手間を軽減できる。
【００１０】
さらにまた、被覆材は折曲させて組み立てることができるため、収納性や運搬性もよく、床や起立材の内装仕上げ材や入隅部を確実に覆うことができるという効果を得ることができる。
【００１１】
また、被覆材は折曲させて複数の被覆部を有するように組み立てることができるため、床や起立材の内装仕上げ材や出隅部を確実に覆うことができると共に、あらゆる内装仕上げ材の形状に柔軟に対応することができるという効果を得ることができる。
【発明を実施するための最良の形態】
【００１２】
以下、図面を参照しつつ本発明の実施の形態に係るペットの内装仕上げ材破損防止具について説明する。ここで、図１は本発明の実施の形態に係るペットの内装仕上げ材破損防止具を組み立てた状態を示す斜視図、図２は本発明の実施の形態に係るペットの内装仕上げ材破損防止具を示す展開図、図３は本発明の実施の形態に係るペットの内装仕上げ材破損防止具を組み立てている状態を示す斜視図である。
【００１３】
本実施の形態に係るペットの内装仕上げ材破損防止具１は、矩形状のアルミ箔製の被覆材２から構成されており、この被覆材２には、床３と柱４との入隅部５に沿って折曲可能な折り目６と、この折り目６と直交し、柱４の出隅部７に沿って折曲可能な第２の折り目８と、この第２の折り目８の延長線上に沿って切り込み可能な切れ目９とが形成されている。そして、被覆材２は、折り目６及び第２の折り目８と切れ目９により、４面に分割されており、切れ目９に沿って切り込み、折り目６に沿って内側に折曲すると共に第２の折り目８に沿って外側に折曲することにより、床３を被覆可能な床被覆部１０と、柱４を被覆可能な柱被覆部１１とがそれぞれ２組ずつ形成されるようになっている。
【００１４】
ここで、柱被覆部１１の高さＨは、ペットの高さと同程度の高さに設定され、好ましくは、ペットの種類、大きさ、発育状況等に応じて３０ｃｍ〜７５ｃｍの範囲に設定されるのがよく、例えば、ダックスフンド等の小型犬の場合には３０ｃｍ〜５０ｃｍの間に設定されるのが望ましい。
【００１５】
また、床被覆部１０の長さＬは、少なくともペットの左右の脚の間隔以上の長さに設定され、好ましくは、ペットの種類、大きさ、発育状況等に応じて２０ｃｍ〜４０ｃｍの範囲に設定されるのがよく、例えば、ダックスフンド等の小型犬の場合には２０ｃｍ程度に設定されるのが望ましい。
【００１６】
さらに、床被覆部１０の幅Ｄは、柱４の幅寸法と同程度の長さに設定され、好ましくは、柱４の幅に合わせて１０〜１００ｃｍの範囲に設定されるのがよい。
【００１７】
このような構成において、被覆材２を組み立てるには、図３に示すように、切れ目９に沿って切り込んだ後、折り目６に沿って内側に折曲すると共に第２の折り目８に沿って外側に折曲する。そうすると、被覆材２は、図１に示すように、各床被覆部１０により支持されて自立可能な状態となる。そして、２組の柱被覆部１１はそれぞれ床被覆部１０に対して垂直に起立した姿勢に保持されると共に各柱被覆部１１間は直角に折曲された状態になり、２組の柱被覆部１１と各床被覆部１０との間に入隅部５が形成されると共に、各柱被覆部１１間に出隅部７が形成される。そこで、この被覆材２の入隅部５を床３と柱４の入隅部５に合わせると共に出隅部７を柱４の出隅部７に合わせることにより、柱４の出隅部７及びこの出隅部７の周りの柱４が柱被覆部１１により覆われると共に、床３の柱４に近接した部分が床被覆部１０により覆われる。
【００１８】
このように柱４や床３が柱被覆部１１や床被覆部１０によって覆われた状態において、ペットは、柱４にマーキング行為をしようとした場合には、脚が床被覆部１０に触れた時の感触に嫌悪感を抱き、また、柱４の出隅部７を噛もうした場合には、歯が柱被覆部１１に触れた時の感触に嫌悪感を抱き、さらに、柱４で爪を研ごうとした場合には、爪が柱被覆部１１に触れた時の感触に嫌悪感を抱く。そして、それ以降、ペットは、被覆材２を見る度に被覆材２に対する嫌悪感が喚起されるようになり、被覆材２で覆われた柱４の出隅部７とその周辺の床３を忌避するようになる。したがって、ペットはこれらの場所でマーキング行為や噛みつき或いは爪とぎ行為を行わないようになるため、床３や柱４の内装仕上げ材の破損を防止することができる。
【００１９】
また、ペットは、視覚によっても被覆材２を認識することができるため、マーキング行為等ができないことを学習するようになる。したがって、飼主は、マーキング行為等を防止させるための躾に掛ける手間を軽減することができる。
【００２０】
さらに、上記した実施の形態に係るペットの内装仕上げ材破損防止具１は、アルミ箔を折曲させて簡単に組み立てることができるため、収納性、運搬性もよく、内装仕上げ材の各種形状に柔軟に対応することができ、また、床に固定せず、置くだけでよいため、床を傷つけたりすることもない。
【００２１】
なお、上記した実施形態においては、本発明を柱４の出隅部７や床３の内装仕上げ材を覆うように置いた場合について説明したが、これは単なる例示に過ぎず、本発明を、壁や床で構成される出隅部や入隅部、柱や壁や床によって構成される入隅部等の内装仕上げ材を覆うように置く場合においても適用可能である。
【００２２】
また、被覆材２は、アルミ箔以外の金属、或いは金属以外の樹脂や、ガラス等、光沢を有する材料であれば、他の材料から形成されていてもよい。さらに、被覆材２は表面にアルミ箔や、アルミ箔以外の金属、或いは金属以外の樹脂や、ガラス等の光沢を有する材料が被覆されていてもよい。
【００２３】
さらにまた、柱被覆部１１と床被覆部１０は、各々単独で内装仕上げ材を覆うように設置することも可能である。そして、柱被覆部１１のみを設置する場合には、柱被覆部１１が自立できるように、例えば、Ｌ型に形成された脚部等、柱被覆部１１を支持する部材を別途設置する。
【００２４】
また、各床被覆部１０の間に露出する内装仕上げ材を覆うため、光沢を有する材質で形成された専用パーツを別途用意することも可能である。
【００２５】
さらに、美観や室内との調和を考慮して、被覆材２の表面に、部分的或いは全体的に、白、黒、木目等の彩色や模様を付してもよい。
【図面の簡単な説明】
【００２６】
【図１】本発明の実施の形態に係るペットの内装仕上げ材破損防止具を組み立てた状態を示す斜視図である。
【図２】本発明の実施の形態に係るペットの内装仕上げ材破損防止具を示す展開図である。
【図３】本発明の実施の形態に係るペットの内装仕上げ材破損防止具を組み立てている状態を示す斜視図である。
【符号の説明】
【００２７】
１        ペットの内装仕上げ材破損防止具
２        被覆材
３        床
４        柱
５        入隅部
６，８    折り目
７        出隅部
９        切れ目
１０      床被覆部
１１      柱被覆部
【図１】
2007228821.tif 000003
【図２】
2007228821.tif 000004
【図３】
2007228821.tif 000005